(57)【要約】【課題】  不使用時には微かな匂いも揮散装置から出てこないような密閉された揮散装置を提供する。【解決手段】  容器の開口部に先端から鍔部まで挿入される鍔付き中栓と、該鍔付き中栓の鍔部を介して前記容器の開口部に配される内方筒部を有する回転キャップと、該内方筒部の外側を覆うように配され同じく前記中栓の鍔部を介して前記容器の開口部に配される胴部内筒を有する中空胴部と、とを備えて成る揮散装置用外容器であって、該回転キャップを回転させることでこれと一体の前記内方筒部が前記胴部内筒内で回転して前記内方筒部および前記胴部内筒にそれぞれ形成してある開口の重なりが変わる揮散装置用外容器において、前記鍔付き中栓の鍔部と、前記内方筒部および前記胴部内筒の先端部との間にパッキンを介在させた。【選択図】      図２
2005058338.tif 000002
【特許請求の範囲】
【請求項１】
容器の開口部に先端から鍔部まで挿入される鍔付き中栓と、該鍔付き中栓の鍔部を介して前記容器の開口部に配される内方筒部を有する回転キャップと、該内方筒部の外側を覆うように配され同じく前記中栓の鍔部を介して前記容器の開口部に配される胴部内筒を有する中空胴部と、を備えて成る揮散装置用外容器であって、前記回転キャップを回転させることでこれと一体の前記内方筒部が前記胴部内筒内で回転して前記内方筒部および前記胴部内筒にそれぞれ形成してある開口の重なり度を変える手段を有し、かつ前記鍔付き中栓の鍔部と、前記内方筒部および前記胴部内筒の先端部との間にパッキンを介在させたことを特徴とする揮散装置用外容器。
【請求項２】
前記内方筒部の先端に開口を形成する壁部同士が根元で互いに連結する連結部を備えていることを特徴とする請求項１記載の揮散装置用外容器。
【請求項３】
前記胴部内筒が前記胴部と連絡するリブを備えていることを特徴とする請求項１又は２記載の揮散装置用外容器。
【請求項４】
前記鍔付き中栓の中空通路内に前記内方筒部の内部にまで達する吸液部材を備えたことを特徴とする請求項１〜３のいずれか１項記載の揮散装置用外容器。
【請求項５】
請求項４記載の揮散装置用外容器と、該外容器内の前記吸液部材の一端が浸かる貯留容器と、から構成されたことを特徴とする揮散装置。
【請求項６】
容器の開口部に先端から鍔部まで挿入され中空通路を有する鍔付き中栓と、該鍔付き中栓の鍔部に載置されたパッキンと、該パッキンを押圧しかつ容器の開口部を密閉する密閉キャップと、一端が容器内に浸かり前記鍔付き中栓の中空通路を通って他端が前記密閉キャップ内まで延びる吸液部材と、を備えたことを特徴とする貯留容器。
【発明の詳細な説明】
【技術分野】
【０００１】
本発明は、有効成分を揮散する揮散装置、揮散装置用外容器、および貯留容器に関するもので、特にその密閉性の向上に関するものである。
【背景技術】
【０００２】
従来、有効成分を含む液体製剤を揮散体に吸液させつつ、この揮散体から有効成分を揮散させる揮散装置等が知られている。（たとえば特許文献１参照）。
また、容器本体の口部に嵌入される中栓の裏側（容器側）にパッキンを設けた容器は知られている（たとえば特許文献２参照）。
【特許文献１】特開２０００−２４５８１８号公報
【特許文献２】特開２００１−１０６２５２号公報
【０００３】
特許文献１記載の空気清浄器は、有効に且つ確実に作動し、長期間持続するようにするもので、揮発性液体又は１つもしくはそれ以上の揮発性成分を含有する液体用の容器を挿入することができその容器の開口部には延在するウイックが取付けられるハウジングと、ウイックとともに容器がハウジング内に挿入されているとき、ウイックを全体的に又は部分的に覆うことができる可動式覆いキャップと、覆いキャップの位置をセッティングするための調節手段と、を備えるようにしたものである。
しかし、このような揮散装置は、用事前に揮散体に吸液された液体製剤が揮散してしまう点で改善の余地があった。
【０００４】
そこで本出願人は、有効成分を十分量且つ安定的に揮散することができる揮散装置を先に開発し、特許出願を行った。
図１０は本出願人が行った先行発明に係る揮散装置の分解斜視図を示している。
図において、１０’は揮散装置で、貯留容器１４と、貯留容器１４の上方に嵌め込まれる外容器１１’とから成り、外容器１１’は、中空胴部１２’と、この中空胴部１２’の上方部の開口に挿入される回転キャップ１３’とで構成されている。
貯留容器１４の開口には、中空通路を有する鍔付き中栓１７’が嵌め込まれ、さらにこの鍔付き中栓１７’の中空通路に吸液部材１５が挿入されている。
これらの各部材を互いに纏めて貯留容器１４の上に覆うと、図１１のよう揮散装置が得られる。
【０００５】
図１１は揮散装置を説明する斜視図で、（ａ）は正面側、（ｂ）は背面側からそれぞれ見た斜視図である。
中空胴部１２’の下部の曲線と貯留容器１４の中腹の一段低く形成された境の曲線とは互いに相関関係にあり、中空胴部が貯留容器１４に嵌め込まれると外形は連続し、ツライチとなる。
中空胴部１２’の正面には化粧金具１２ｍが嵌め込まれており、化粧金具１２ｍには放射状に延びる複数本（図では８本）の揮散孔１６が開けられている。そして、化粧金具１２ｍの裏側の中空胴部１２’には化粧金具１２ｍに対向する大きな開口が開けられている。
【０００６】
中空胴部１２’の背面（図（ｂ））は、大部分が平坦に形成されて、自動車のエアコン吹き出し口に取り付け易くなっている。中空胴部１２’の背面の平坦部には複数個（図では１２個）の空気取入孔２１が開けられ、かつクリップ取付部１２ｋが形成されており、取付部１２ｋを介してクリップ（後述。図１３の１８参照）が取り付けられ、このクリップを自動車のエアコン吹き出し口の格子部分に差し込むことで揮散装置１０’全体の自動車のエアコン吹き出し口への固定が簡単に行われる。
【０００７】
図１２は図１１に示す揮散装置１１の一部断面正面図を示している。
図において、揮散装置１０’は、液体製剤Ｌが収容された貯留容器１４と、貯留容器１４の上方に取り付けられる外容器１１’とから構成されている。貯留容器１４は、液体製剤Ｌが収容される容器本体１４ａと、容器本体１４ａの上方に連なる開口部１４ｂとで構成され、その開口部１４ｂは円筒状の突起部で、その内周下方が容器本体１４ａと連通するように構成されている。
貯留容器１４の開口部１４ｂには揮散部材として機能する吸液部材１５が鍔付き中栓１７’を介して挿通され、一方の端部が貯留容器１４において液体製剤Ｌに浸漬し、かつ、他方の端部が貯留容器１４の外側に露出するように配されている。この鍔付き中栓１７’を貯留容器１４の開口部１４ｂの内周面に嵌合し、鍔部が開口部１４ｂの頂部を塞いだ状態で固定支持されている。
【０００８】
外容器１１’は、吸液部材１５の貯留容器１４より露出した部分を覆うように配された中空胴部１２’と、この中空胴部１２’の上方部に設けられた開口に嵌合される回転キャップ１３’とで構成され、回転キャップ１３’は、皿状の回転操作部１３ａと、この回転操作部１３ａの中心から下方に突設された筒状の内方筒部１３ｂと、回転操作部１３ａの周縁部に下方に突設された外方筒部１３ｃとで構成されている。内方筒部１３ｂの下方端部は鍔付き中栓１７’の鍔部と当接して、両者間の密閉を保っている。
【０００９】
中空胴部１２’は、胴部本体１２ａと、回転キャップ１３’の外方筒部１３ｃと嵌合するように胴部本体１２ａの上方に形成された上方開口１２ｃと、上方開口１２ｃより小径に形成され、かつ、同軸上に形成された胴部内筒１２ｂとで構成されている。中空胴部１２’は、胴部内筒１２ｂが回転キャップ１３’の内方筒部１３ｂの外周と摺接して配されている。
中空胴部１２’の正面には、液体製剤Ｌの有効成分を揮散装置１０’から車内に拡散させるための揮散孔１６が複数個形成され、また背面には空気取入孔２１（図１３参照）が形成されている。
【００１０】
図１３は、図１２に示す揮散装置の側面断面図である。
図において、貯留容器１４の開口部１４ｂにはフランジ部１４ｃが形成されている。また、中空胴部１２’の内側には爪部１２ｅが形成されている。外容器１１’は、爪部１２ｅを貯留容器１４の開口部１４ｂにおけるフランジ部１４ｃに係合させることで、貯留容器１４に確実に固定させることが可能である。フランジ部１４ｃの形状は、爪部１２ｅと係合可能な範囲で任意に設定することができる。
【００１１】
また、中空胴部１２’の背面にはクリップ取付部１２ｋ（図１１（ｂ）も参照のこと）が設けられていて、ここにクリップ側の取付部１８ａを嵌入させてクリップ１８が取り付けられる。クリップ１８は、クリップ連結部と、このクリップ連結部により一方の端部が保持された４つの締付部とを有している。クリップ連結部は、金属等の所定の弾性応力を有する金具で構成されている。締付部は、一方の端部がクリップ連結部と一体に形成され、他方の端部がクリップ連結部の一部を覆う樹脂で構成されている。クリップ１８は上下に位置する締付部同士が弾性応力によって締め付け合う構成となっている。このクリップ１８を用いて自動車のエアコン吹き出し口へ挿入・固定されると、エアコン吹き出し口から吹き出たエアは中空胴部１２’の背面の空気取入孔２１から中空胴部１２’の中に入り、中空胴部１２’の開口部（後述）から吸液部材１５のある空間に入り、その周囲を通って有効成分を含みながら別の開口部（後述）から出て、正面の化粧金具１２ｍの揮散孔１６から車内に有効成分を揮散することとなる。
【００１２】
図１４は中空胴部１２’と回転キャップ１３’の機能を説明する断面斜視図である。内方筒部１３ｂ（図１２）の下方には周方向に開口角度約９０度の揮散開口１３ｓ、１３ｔ（図１４（ａ）の（ロ）で上下の２箇所）が形成されている。また、胴部筒部１２ｂ（図１２）にも周方向に開口角度約９０度の揮散開口１２ｓ、１２ｔ（図１４（ａ）の（ロ）で上下の２箇所）が形成されている。
回転キャップ１３’は吸液部材１５の中心を回転中心軸として中空胴部１２’内に約９０度の軸回転可能に取り付けられている。回転キャップ１３’がそれ以上回転出来ないように中空胴部１２’に前後左右にそれぞれ２つのストッパ１２ｘ、１２ｙが形成されており、回転キャップ１３’にもこのストッパ１２ｘ、１２ｙに当接する突起１３ｘが前後に１個ずつ形成されている。図ではこれらのストッパと突起のうち、前部分のものがストッパ１２ｘ、１２ｙ、１３ｘとして描かれている。
【００１３】
この回転キャップ１３’の機能は次のようになる。
回転キャップ１３’を回転させると、これと一体の内方筒部１３ｂが回転するため、その揮散開口１３ｓ、１３ｔも周方向に移動する。そこで回転キャップ１３’を回転時計方向に回転させて、突起１３ｘが図１４（ａ）の（イ）のように、ストッパ１２ｘに当たるまで最大回転させると、揮散開口１３ｓ、１３ｔと胴部筒部１２ｂの揮散開口１２ｓ、１２ｔとが完全に重なり合い最大の開口となる。
したがって、ここを通過する空気量も最大となり、有効成分の揮散量も最大となる（図１４（ａ）の（ロ））。このように、図１４（ａ）の（ロ）では、胴部筒部１２ｂの壁部と内方筒部１３ｂの壁部とが重なり、多量の風Ｂ１が背面から入り、揮散開口を通過して、正面の揮散孔から出ていくのが判る。
【００１４】
次に、通過する空気量を半分程度に弱めたい時には、図１４（ｂ）の（イ）のように、回転キャップ１３’を図１４（ａ）の場合より約４５度反時計方向に回転させると、内方筒部１３ｂの壁部１３ｂ１が胴部筒部１２ｂの揮散開口１２ｓ、１２ｔを半分程度塞ぐので、自動車エアコンから吹き出される風量が弱まり、液体製剤Ｌの有効成分の拡散は少なくなる（図１４（ｂ）の（ロ））。したがって、図１４（ｂ）の（ロ）では、背面から入る風量が減り、少ない風Ｂ２が揮散開口を通過して揮散孔から出ていく。
【００１５】
このように、先行発明によれば、空気量最大の位置から、回転キャップ１３’の回転角を任意の位置に回転させることで、回転キャップ１３’の揮散開口１２ｓ、１２ｔは胴部筒部１２ｂの揮散開口１２ｓ、１２ｔとずれて、代わって壁部１３ｂ１によって塞がれていくので、開口面積が調整可能になり、有効成分の揮散量を調整できることとなる。
【発明の開示】
【発明が解決しようとする課題】
【００１６】
このような本出願人の先行発明に係る揮散装置によって、有効成分を十分量かつ安定的に揮散することができる揮散装置が得られた。
しかしながら、この揮散装置に改良すべき点があることが判明した。それは不使用時に拡散が無いように開口を完全に閉鎖しても車内に微かな匂いが感じられることであった。すなわち、不使用時に拡散が無いようにするには、図１４（ｃ）の（イ）のように、回転キャップ１３’をさらに反時計方向に回転させて回転キャップ１３の突起１３ｘをストッパ１２ｙに当接させると、内方筒部１３ｂの壁部１３ｂ１が胴部筒部１２ｂの揮散開口１２ｓ、１２ｔを完全に覆うので、吸液部材１５を中心として３６０度に亘って壁部１２ｂ１と壁部１３ｂ１で閉鎖され、自動車エアコンから吹き出される風量が吸液部材１５に届かなくなり、液体製剤Ｌの有効成分は揮散装置１０’外部に拡散しなくなるはずである。
ところが、実際には、図（ｃ）の（ロ）に見られるように、風Ｂ３が正面の揮散孔から出ていき、車内に微かな匂いが感じられた。
【００１７】
その原因を究明したところ、その原因は内方筒部の壁部１３ｂ１と胴部筒部の揮散開口１２ｘ、１２ｙとの間にあるのではなくて、鍔付き中栓１７’の鍔部と、内方筒部１３ｂ１および胴部内筒１２ｂ１の先端部との間にあることが判明した。
そこで、本発明の目的は、上記欠点を解決するためになされたもので、不使用時には微かな匂いも揮散装置から出てこないような密閉された揮散装置を提供することにある。
【課題を解決するための手段】
【００１８】
上記課題を解決するため、請求項１記載の揮散装置用外容器の発明は、容器の開口部に先端から鍔部まで挿入される鍔付き中栓と、該鍔付き中栓の鍔部を介して前記容器の開口部に配される内方筒部を有する回転キャップと、該内方筒部の外側を覆うように配され同じく前記中栓の鍔部を介して前記容器の開口部に配される胴部内筒を有する中空胴部と、を備えて成る揮散装置用外容器であって、前記回転キャップを回転させることでこれと一体の前記内方筒部が前記胴部内筒内で回転して前記内方筒部および前記胴部内筒にそれぞれ形成してある開口の重なり度を変える手段を有し、かつ前記鍔付き中栓の鍔部と、前記内方筒部および前記胴部内筒の先端部との間にパッキンを介在させたことを特徴とする。
【００１９】
請求項２記載の発明は、請求項１記載の揮散装置用外容器において、前記内方筒部の先端に開口を形成する壁部同士が根元で互いに連結する連結部を備えていることを特徴とする。
【００２０】
請求項３記載の発明は、請求項１又は２記載の揮散装置用外容器において、前記胴部内筒が前記胴部と連絡するリブを備えていることを特徴とする。
【００２１】
請求項４記載の揮散装置用外容器の発明は、請求項１〜３のいずれか１項記載の揮散装置用外容器において、前記鍔付き中栓の中空通路内に前記内方筒部の内部にまで達する吸液部材を備えたことを特徴とする。
【００２２】
請求項５記載の揮散装置の発明は、請求項４記載の揮散装置用外容器と、該外容器内の前記吸液部材の一端が浸かる貯留容器と、から構成されたことを特徴とする。
【００２３】
請求項６記載の貯留容器の発明は、容器の開口部に先端から鍔部まで挿入され中空通路を有する鍔付き中栓と、該鍔付き中栓の鍔部に載置されたパッキンと、該パッキンを押圧しかつ容器の開口部を密閉する密閉キャップと、一端が容器内に浸かり前記鍔付き中栓の中空通路を通って他端が前記密閉キャップ内まで延びる吸液部材と、を備えたことを特徴とする。
【発明の効果】
【００２４】
このように、鍔付き中栓の鍔部と、前記内方筒部および前記胴部内方筒部の先端部との間にパッキンを介在させたので、不使用時にはもはや微かな匂いさえも揮散装置から出てこないようになった。有効成分の揮散効果を長期間持続させることができるようになった。
また、内方筒部に形成される開口が筒部の根元部より所定の距離手前で終わっているので、壁部の軸方向長さが短くなるため強度が増し、したがって鍔付き中栓の鍔部をこれで強く押しても座屈せず、確かな密閉が保証されるようになった。
また、胴部の内方筒部が胴部と連絡するリブを備えているので、内方筒部の軸方向強度が増し、したがってこれで鍔付き中栓の鍔部を強く押しても座屈せず、確かな密閉が保証されるようになった。
【発明を実施するための最良の形態】
【００２５】
以下、本発明に係る揮散装置の実施形態を図面に基づいて詳しく説明する。
図１は本発明に係る揮散装置付き容器の分解斜視図である。
図１において１０は本発明に係る揮散装置で、貯留容器１４と、貯留容器１４の上方に嵌め込まれる外容器１１とから成り、外容器１１は、中空胴部１２と、この中空胴部１２の上方部の開口に挿入される回転キャップ１３とで構成されている。貯留容器１４の開口には、中空通路を有する鍔付き中栓１７が嵌め込まれ、さらにこの鍔付き中栓１７の中空通路に吸液部材１５が挿入されている。そして、鍔付き中栓１７の鍔の上に本発明により採用されたパッキン１９が載置される。パッキン１９以外にも、先行発明の中空胴部１２’と回転キャップ１３’に改良が加えられて、本発明に係る中空胴部１２と回転キャップ１３が得られている。
【００２６】
図２は本発明に係る揮散装置の一部断面正面図を示している。
図において、貯留容器１４および吸液部材１５は先行発明で説明したものと同じであるので、ここでの説明は省略する。鍔付き中栓１７は先行発明のものと異なっている。先行発明の鍔付き中栓１７’は鍔部上面が平坦であるのに対して本発明に係る鍔付き中栓１７は図２に見られるようにパッキンを上部に載置するための位置決め機能を有する上方延設環状部１７ａを備えている。そこでこの鍔付き中栓１７の鍔１７ｂの上の上方延設環状部１７ａに本発明によりパッキン１９が載置される。外容器１１は、吸液部材１５の貯留容器１４より露出した部分を覆うように配された中空胴部１２と、この中空胴部１２の上方部に設けられた開口に嵌合される回転キャップ１３とで構成されている。
【００２７】
回転キャップ１３は、皿状の回転操作部１３ａと、この回転操作部１３ａの中心から下方に突設された筒状の内方筒部１３ｂと、回転操作部１３ａの周縁部に下方に突設された外方筒部１３ｃとで構成されている。内方筒部１３ｂの下端は本発明により設けられたパッキン１９と当接している。先行発明（図１２）ではこのパッキン１９がなく内方筒部１３ｂの下端は直接鍔付き中栓１７の鍔部に接していた。したがって、先行発明では内方筒部１３ｂの下端と鍔付き中栓１７の鍔部との接触では気密性が完全とはいえなかったが、内方筒部１３ｂの下端が本発明により設けられたパッキン１９と当接することにより両者間の気密性が向上した。
【００２８】
中空胴部１２は、胴部本体１２ａと、回転キャップ１３の外方筒部１３ｃと嵌合するように胴部本体１２ａの上方に形成された上方開口１２ｃと、上方開口１２ｃより小径に形成され、かつ、同軸上に形成された胴部内筒１２ｂとで構成されている。中空胴部１２は、胴部内筒１２ｂが回転キャップ１３の内方筒部１３ｂの外周と摺接することで気密性が確保されている。胴部内筒１２ｂの下端も本発明により設けられたパッキン１９と当接している。先行発明（図１２）ではこのパッキン１９がなく胴部内筒１２ｂの下端は直接鍔付き中栓１７の鍔部に接していた。したがって、先行発明では胴部内筒１２ｂの下端と鍔付き中栓１７の鍔部との接触では気密性が完全とはいえなかったが、胴部内筒１２ｂの下端が本発明により設けられたパッキン１９と当接することにより両者間の気密性が向上した。
【００２９】
また、中空胴部１２の内部には、胴部と胴部内筒１２ｂと連絡するリブ１２ｚが本発明により形成されている。先行発明（図１２）においてはこのリブ１２ｚがなかったが、本発明により胴部内筒１２ｂの下端でパッキン１９を強めに押圧するので、胴部内筒１２ｂの機械的強度を強くすることが必要となり、これをリブ１２ｚにより高めている（後述）。
【００３０】
図３は、本発明に係る揮散装置の側面断面図である。
図において、１２ｚが本発明に係るリブであり、１９がパッキンである。
貯留容器１４の開口部１４ｂにはフランジ部１４ｃが形成されている。また、中空胴部１２の内側には爪部１２ｅが形成されている。外容器１１は、爪部１２ｅを貯留容器１４の開口部１４ｂにおけるフランジ部１４ｃに係合させることで、貯留容器１４に確実に固定させることが可能である。フランジ部１４ｃの形状は、爪部１２ｅと係合可能な範囲で任意に設定することができる。また、貯留容器１４への係合は中空胴部１２の下部で挟持するようにしてもよい。
【００３１】
中空胴部１２の正面には化粧金具１２ｍが係合部１２ｐに係合して中空胴部１２に嵌め込まれており、化粧金具１２ｍには放射状に延びる複数本（図では８本）の揮散孔１６が開けられている。そして、中空胴部１２の正面には化粧金具１２ｍの係合する広範囲にわたる大きな開口１２ｑ（図９で後述）が開けられている。
【００３２】
中空胴部１２には取付部１８ａを介してクリップ１８が取り付けられている。クリップ１８の構成・機能は先行発明（図１３）と同一なので、説明は省略する。
【００３３】
図４は貯留容器１４の上方の機構とこの上に嵌合される中空胴部１２と回転キャップ１３の形状を説明する断面斜視図、図５はこれらの機能を説明する断面斜視図である。図４において、貯留容器１４の開口には、中空通路を有する鍔付き中栓１７が嵌め込まれ、この鍔の上に本発明により採用されたパッキン１９が載置され、鍔付き中栓１７の中空通路から吸液部材１５がその上部を露出している。
【００３４】
一方、中空胴部１２の胴部内筒１２ｂの中に回転キャップ１３の内方筒部１３ｂが嵌め込まれ、その全体が貯留容器１４の上に覆われ、その際、胴部内筒１２ｂの下端１２ｆと内方筒部１３ｂの下端１３ｆがパッキン１９の上にしっかりと当接される。
【００３５】
内方筒部１３ｂの壁部の下方には周方向に開口角度約９０度の揮散開口１３ｓ、１３ｔが図の前後（図で前の揮散開口が１３ｓ、後ろの揮散開口が１３ｔ）に２箇所形成されている。また、胴部内筒１２ｂにも周方向に開口角度約９０度の揮散開口１２ｓ、１２ｔが図の前後（図で前の揮散開口が１２ｓ、後ろの揮散開口が１２ｔ）に２箇所形成されている。回転キャップ１３は吸液部材１５の中心を回転中心軸として中空胴部１２内に約９０度の軸回転可能に取り付けられている。回転キャップ１３が所定角以上回転出来ないように胴部内筒１２ｂの上部の前後左右にそれぞれ２つのストッパ１２ｘ、１２ｙが形成されている（図で前の左と後の右が１２ｘ、前の右と後の左が１２ｙ）。一方、回転キャップ１３にはこのストッパ１２ｘ、１２ｙに当接するための突起１３ｘが前後に１個ずつ（図では前突起１３ｘのみ図示）形成されている。各突起１３ｘはストッパ１２ｘとストッパ１２ｙとの間で移動する。
【００３６】
次に、この回転キャップ１３の機能を図５を用いて説明する。
図５は３状態におけるそれぞれの回転キャップの機能を説明する図で、（ａ）は開口が全開の場合、（ｂ）は半開の場合、（ｃ）は全閉の場合の、斜視図（イ）と、そのときの回転キャップを下から見た断面縮小図（ロ）である。
まず、図５（ａ）の（イ）において、回転キャップ１３の突起１３ｘが胴部内筒１２ｂのストッパ１２ｘに当接するまで時計方向に回転させると、胴部内筒１２ｂの揮散開口１２ｓ、１２ｔと回転キャップ１３の揮散開口１３ｓ、１３ｔとがそれぞれ完全に重なり合い、最大開口となる（図（ａ）の（ロ））。
したがって、最大量の風Ｂ１が背面の空気取入孔２１から入り、揮散開口１２ｓと１３ｓ、さらに１２ｔと１３ｔを通過して、正面の揮散孔１６から出ていくこととなる。
【００３７】
次に、通過する空気量を半分程度に弱めたい時には、図５（ｂ）の（ａ）のように、回転キャップ１３を図５（ａ）の場合から約４５度反時計方向に回転させると、 図５（ｂ）の（ロ）のように内方筒部１３ｂの２つの壁部１３ｂ１が胴部内筒１２ｂの揮散開口１２ｓ、１２ｔをそれぞれ半分程度塞ぐので、少量の風Ｂ２が、狭くなった揮散開口１２ｓとさらに１２ｔとを通過して、正面の揮散孔１６から出ていく。
【００３８】
さらに、不使用時には拡散が無いようにするため、図５（ｃ）の（イ）のように、回転キャップ１３をさらに反時計方向に回転させて、回転キャップ１３の突起１３ｘを胴部内筒１２ｂのストッパ１２ｙに当接させると、胴部内筒１２ｂの揮散開口１２ｓ、１２ｔは内方筒部１３ｂの壁部１３ｂ１によって完全に塞がれるので、自動車エアコンから吹き出される風は吸液部材１５に到達できない。
しかも、図に見られるように、胴部内筒１２ｂの下端および内方筒部１３ｂの下端が本発明により設けられたパッキン１９にしっかり当接して、気密性が高まっているので、胴部内筒１２ｂの下端および内方筒部１３ｂの下端とパッキン１９の間から風が入り込むこともなくなり、したがって、図５（ｃ）の（ロ）のように、背面２１から入って正面の揮散孔１６から出ていく風Ｂ０は皆無となり、車内には微かな匂いも出なくなる。
【００３９】
このように、本発明によれば、本発明により設けられたパッキン１９により、胴部内筒１２ｂの下端および内方筒部１３ｂの下端との間の気密性が高まるので、車内には微かな匂いも出なくなる。
【００４０】
図６は、本発明に係るパッキン等を備えた貯留容器１４と、貯留容器１４の上方に嵌め込まれる外容器１１と、貯留容器１４の上方に嵌め込まれる密閉キャップ２０とから成る揮散装置の構成物を示している。
密閉キャップ２０は揮散装置の生産から販売まで貯留容器１４に被って用いられるものであり、外容器１１は使用時に使用者が密閉キャップ２０を貯留容器１４から取り外した後、貯留容器１４に被って上述の仕方で用いられるものである。
【００４１】
図７は、図６のような２つの状態における揮散装置を説明するもので、（ａ）は本発明に係る揮散装置の使用前（販売時）、（ｂ）は使用時を示す各縦断面図である。図７（ａ）において、１４は貯留容器、１５は吸液部材、１７は鍔付き中栓、１９はパッキン、２０は密閉キャップである。
先行発明の揮散装置においては、パッキンは通常の用い方で用いられていた。すなわち、密閉キャップの裏側にパッキンを設け、密閉キャップで貯留容器の開口部を塞ぐことにより、パッキンが開口部を塞ぐので、使用前（販売時）の液漏れ防止としての働きをしていた。それ故、揮散装置の使用時に密閉キャップを取り外して廃棄処分すると、パッキンもこれと共に廃棄処分されることとなった。
【００４２】
しかしながら、本発明では密閉キャップに用いられていたパッキンを廃棄処分せずに、使用時にも匂い漏れ防止用としてパッキンを引き続き有効利用するのが特徴である。
図７（ａ）において、販売時の揮散装置は鍔付き中栓１７の上方延設環状部１７ａの外側で鍔１７ｂの上にパッキン１９を載置し、これを密閉キャップ２０の裏側に延設された延設部片２０ａで押圧した状態で販売している。このようにすることによりパッキン１９は液漏れ防止用の働きをしていた。
さらに、使用時には図７（ｂ）において、使用者が密閉キャップ２０を取り外してもパッキン１９は同じく鍔付き中栓１７の上に留まっているので、密閉キャップ２０に代えて外容器１１を被うことにより、外容器１１の胴部内筒１２ｂ１の下端および内方筒部の壁部１３ｂ１の下端でパッキン１９は押圧されるので、上述した本発明の効果（不使用時における微かな匂いの揮散防止）を発揮することとなる。
【００４３】
先に示した特許文献２記載のパッキンは、先行発明と同じ用いられ方であって、使用前（販売時）の液漏れ防止用の働きをするものであり、使用開始後も引き続きパッキンを使用する考え方はない。
【００４４】
次に、本発明により改良が加えられた回転キャップについて図８を用いて説明する。図８は本発明により改良が加えられた回転キャップを説明する図で、（ａ）は本発明に係る回転キャップの縦断面図（イ）と斜視図（ロ）で、（ｂ）は先行発明に係る回転キャップの縦断面図（イ）と斜視図（ロ）である。
まず、先行発明の図８（ｂ）において、回転キャップ１３’は、皿状の回転操作部１３ａと、回転操作部１３ａから下方に突設された２枚の半筒状部１３ｂ１とを備えている。２枚の半筒状部１３ｂ１の間に軸方向に長い開口１３ｓ、１３ｔが開いている。このように２枚の半筒状部１３ｂ１は回転操作部１３ａからそれぞれ片持ち支持として形成されているので、半筒状部１３ｂ１の先端に強い力が加わると、その根元から曲がる（座屈）するおそれがあった。そこで、鍔付き中栓１７’（図１２）の鍔を強く押圧することができなかった。
【００４５】
ところが、本発明に係る図８（ａ）において、回転キャップ１３は、皿状の回転操作部１３ａと、回転操作部１３ａから下方に突設された２枚の半筒状部１３ｂ１の他に、２枚の半筒状部１３ｂ１同士を互いに連結する連結部１３ｚを本発明により備えている
このように２枚の半筒状部１３ｂ１は根元で互いに連結部１３ｚで連結されているので、半筒状部１３ｂ１の先端に強い力が加わっても根元から曲がる（座屈）するおそれがなくなった。そこで、本発明によればパッキン１９（図２）を強く押圧することができるようになり、この間での気密性が高まる。しかも、連結部１３ｚによって弱設定時における中空胴部１２の胴部内筒１２ｂと内方筒部１３ｂの壁部１３ｂ１の間に隙間がなくなるので、匂い漏れ防止の機能も備えている。
【００４６】
さらに、本発明により改良が加えられた中空胴部について図９を用いて説明する。図９は本発明により改良が加えられた中空胴部を説明する図で、（ａ）は本発明に係る中空胴部の縦断面図、（ｂ）は同じく正面図で、化粧金具１２ｍ（図３）が外された状態で示している。
両図において、１２は本発明に係る中空胴部、１２ｂ１は胴部内筒１２ｂ１、２１は中空胴部１２の背面に設けられた空気取入孔（図３参照）、（ｂ）において、１２ｐは化粧金具１２ｍ（図３）が中空胴部１２に嵌め込まれるための係合部で、３箇所形成されている。１２ｑは中空胴部１２の正面に設けられた大きな開口で、化粧金具１２ｍの形状とほぼ一致している。１２ｚが本発明により形成されたリブで、中空胴部１２と胴部内筒１２ｂ１とを連結している。先行発明（図１２）においてはこのリブ１２ｚがなかったが、本発明により設けらリブ１２ｚにより胴部内筒１２ｂ１の強度が増加し、胴部内筒１２ｂ１の下端でパッキン１９を強めに押圧しても根元から曲がる（座屈）するおそれがなくなった。そこで、本発明によればパッキン１９（図２）を強く押圧することができるようになり、この間での気密性が高まる。
【００４７】
以上の実施例は、内外二重壁の各々に開けられている開口をその二重壁を相対回転させることで開口の大きさを調節するタイプのものであったが、本発明はこれに限定されるものではなく、内外二重壁の各々に開けられている開口をその二重壁を上下に相対移動することで開口の大きさを調節するようなタイプの揮散装置にも適用されることができることは言うまでもない。
【００４８】
以上のように、本発明によれば、鍔付き中栓の鍔部と、前記内方筒部および前記胴部内方筒部の先端部との間にパッキンを介在させたので、不使用時にはもはや微かな匂いさえも揮散装置から出てこないようになった。有効成分の揮散効果を長期間持続させることができるようになった。
【００４９】
また、内方筒部に形成される開口が筒部の根元部より所定の距離手前で終わっているので、壁部の軸方向長さが短くなるため強度が増し、したがって鍔付き中栓の鍔部をこれで強く押しても座屈せず、確かな密閉が保証される。
【００５０】
また、胴部の内方筒部が胴部と連絡するリブを備えているので、内方筒部の軸方向強度が増し、したがってこれで鍔付き中栓の鍔部を強く押しても座屈せず、確かな密閉が保証される。
【図面の簡単な説明】
【００５１】
【図１】本発明に係る揮散装置付き容器の分解斜視図である。
【図２】本発明に係る揮散装置の一部断面正面図を示している。
【図３】本発明に係る揮散装置の側面断面図である。
【図４】貯留容器と中空胴部と回転キャップの各形状を説明する断面斜視図である。
【図５】３状態におけるそれぞれの回転キャップの機能を説明する図で、（ａ）は開口が全開の場合、（ｂ）は半開の場合、（ｃ）は全閉の場合の、斜視図（イ）と、そのときの回転キャップを下から見た断面縮小図（ロ）である。
【図６】本発明に係るパッキン等を備えた貯留容器と貯留容器の上方に嵌め込まれる外容器と貯留容器１４の上方に嵌め込まれるキャップとから成る揮散装置の構成物を示している。
【図７】図６のような２つの状態における揮散装置を説明するもので、（ａ）は本発明に係る揮散装置の使用前（販売時）、（ｂ）は使用時を示す各縦断面図である。
【図８】本発明により改良が加えられた回転キャップを説明する図で、（ａ）は本発明に係る回転キャップの縦断面図（イ）と斜視図（ロ）で、（ｂ）は先行発明に係る回転キャップの縦断面図（イ）と斜視図（ロ）である。
【図９】本発明により改良が加えられた中空胴部について説明する図で、（ａ）は本発明に係る中空胴部の縦断面図、（ｂ）は同じく正面図である。
【図１０】先行発明に係る揮散装置の分解斜視図を示している。
【図１１】図１０に示す揮散装置の正面側から見た斜視図（ａ）と、背面側から見た斜視図（ｂ）である。
【図１２】図１１に示す揮散装置１１の一部断面正面図を示している。
【図１３】図１２に示す揮散装置の側面断面図である。
【図１４】図１３に示す中空胴部と回転キャップの機能を説明する断面斜視図である。
【符号の説明】
【００５２】
１０  本発明に係る揮散装置
１１  外容器
１２  中空胴部
１２ａ  胴部本体
１２ｂ  胴部内筒
１２ｃ  上方開口
１２ｅ  爪部
１２ｆ  胴部内筒下端
１２ｍ  化粧金具
１２ｐ  係合部
１２ｑ  大開口
１２ｘ、１２ｙ  ストッパ
１２ｚ  リブ
１３  回転キャップ
１３ａ  皿状回転操作部
１３ｂ  内方筒部
１３ｃ  外方筒部
１３ｆ  内方筒部下端
１３ｓ、１３ｔ  揮散開口
１３ｘ  突起
１３ｚ  連結部
１４  貯留容器
１４ａ  容器本体
１４ｂ  開口部
１４ｃ  フランジ部
１５  吸液部材
１６  揮散孔
１７  鍔付き中栓
１７ａ  上方延設環状部
１７ｂ  鍔
１８  クリップ
１８ａ  取付部
１９  パッキン
２０  密閉キャップ
２１  空気取入孔
【図１】
2005058338.tif 000003
【図２】
2005058338.tif 000004
【図３】
2005058338.tif 000005
【図４】
2005058338.tif 000006
【図５】
2005058338.tif 000007
【図６】
2005058338.tif 000008
【図７】
2005058338.tif 000009
【図８】
2005058338.tif 000010
【図９】
2005058338.tif 000011
【図１０】
2005058338.tif 000012
【図１１】
2005058338.tif 000013
【図１２】
2005058338.tif 000014
【図１３】
2005058338.tif 000015
【図１４】
2005058338.tif 000016